(57)【特許請求の範囲】
【請求項１】
中空状の共鳴胴と、その共鳴胴から立設する棹と、前記共鳴胴と棹に張設された弦とを備えた弦楽器から発生する楽音に所定の効果を付与する効果装置とは別体に前記弦楽器の棹に取着され、前記効果装置に対して所定の信号を出力するコントローラであって、
演奏者によって操作され所定の信号を出力することを指示する操作子と、
その操作子が配設され帯状に延びる操作面、その操作面と対向して前記棹に被覆される被覆面、および、前記操作面の長手方向両縁部から前記被覆面に向かって延びる２つの側面である両側面を有し、扁平な棒状に形成されている筐体とを備えていることを特徴とするコントローラ。
【請求項２】
前記操作面は、前記被覆面の長手方向の縁部側に対して下降傾斜して形成されていることを特徴とする請求項１に記載のコントローラ。
【請求項３】
前記操作面は、前記被覆面の長手方向に延びる両縁部の一方の縁部側に偏って形成されており、
前記操作子は、前記操作面の長手方向に延びる中心線から前記一方の縁部側に偏って配設されていることを特徴とする請求項１から２のいずれかに記載のコントローラ。
【請求項４】
前記両側面のうち、前記操作面の長手方向に延びる縁部から前記被覆面までの距離が長い方の側面に配設され、前記操作子の操作状況を表示する表示装置を備えていることを特徴とする請求項１から３のいずれかに記載のコントローラ。
【請求項５】
前記表示装置が配設される側面と、前記操作面とは鈍角に交差して形成されていることを特徴とする請求項４に記載のコントローラ。
【発明の詳細な説明】
【技術分野】
【０００１】
本発明は、コントローラに関し、特に、操作性に優れ、演奏に支障をきたすことなく、二胡に代表される弦楽器から発生する楽音に所定の効果を付与する効果装置に対して所定の信号を出力することができるコントローラに関するものである。
【背景技術】
【０００２】
従来より、弦楽器の一つとして二胡が知られている。この二胡は、「擦弦楽器の一種で、２本の弦を間に挟んだ弓で弾く。琴筒はニシキヘビの皮で覆われている。原型楽器は、唐代〜宋代にシルクロードを経由して西方より伝来したとされている。その後劉天華などにより改良を重ねられ、現在普及している形は、１９５０年代から（文化大革命の停滞期を挟み）８０年代ごろに出来上がったものが基本となっている。」（出典：
フリー百科事典『ウィキペディア（Ｗｉｋｉｐｅｄｉａ）』）。
【０００３】
一方、この二胡に関し、次の特許文献１には、「静音効果を高めるため、二胡の本体前面の共振部分１に、蛇皮などのかわりに、ほとんど共振しない材料（木材など）を使用する。これにより弦２に与えられた振動は、駒３より共振部分１でほとんど共振せず、これにより本体での共鳴も防げ、音量は大幅に縮小する。演奏者本人が、演奏音を聞くには、駒３に直接接続された本体内部にあるピックアップ４により電気信号化されたものを、本体側面にあるヘッドフォン接続口５よりヘッドフォンを用いる。」と記載され、電気二胡に関する技術が開示されている。
【特許文献１】実用新案登録第３１１７４０９号公報（段落第「０００６」）
【発明の開示】
【発明が解決しようとする課題】
【０００４】
しかしながら、上述した特許文献１に開示されている電気二胡では、二胡から発生される楽音に音量に関する効果しか付与できなかった。そこで、本出願人は、二胡に関し、音量に加え、リバーブ、ディレイ、オクターブ等の音色に関する効果を付与することができる効果装置を考案した。しかし、この場合、付与する効果を演奏者に選択させるための操作子が複数存在し、それら複数の操作子を、単に、上述した特許文献１に開示されているように二胡本体に配設した場合には、操作性に劣り、演奏の邪魔になるという問題点があった。
【０００５】
本発明は、上記の問題点を解決するためになされたものであり、操作性に優れ、演奏に支障をきたすことなく、二胡に代表される弦楽器から発生する楽音に所定の効果を付与する効果装置に対して所定の信号を出力することができるコントローラを提供することを目的としている。
【課題を解決するための手段】
【０００６】
この目的を達成するために、請求項1記載のコントローラは、中空状の共鳴胴と、その
共鳴胴から立設する棹と、前記共鳴胴と棹に張設された弦とを備えた弦楽器から発生する楽音に所定の効果を付与する効果装置とは別体に前記弦楽器の棹に取着され、前記効果装置に対して所定の信号を出力するコントローラであって、演奏者によって操作され所定の信号を出力することを指示する操作子と、その操作子が配設され帯状に延びる操作面、その操作面と対向して前記棹に被覆される被覆面、および、前記操作面の長手方向両縁部から前記被覆面に向かって延びる２つの側面である両側面を有し、扁平な棒状に形成されている筐体とを備えている。
【０００７】
なお、前記コントローラにおいて、前記筐体は、その長手方向の全長が前記共鳴胴の上面から千斤までの間隔よりも小さく、前記操作面と前記被覆面との間隔である最大高さが前記弦と前記樟との聞隔よりも小さく、前記両側面の間隔である最大幅が前記樟の最大幅よりも小さく形成されている。
【０００８】
請求項２記載のコントローラは、請求項1に記載のコントローラにおいて、前記操作面は、前記被覆面の長手方向の縁部側に対して下降傾斜して形成されている。
【０００９】
請求項３記載のコントローラは、請求項1又は2に記載のコントローラにおいて、前記操作面は、前記被覆面の長手方向に延びる両縁部の一方の縁部側に偏って形成されており、前記操作子は、前記操作面の長手方向に延びる中心線から前記一方の縁部側に偏って配設されている。
【００１０】
請求項４記載のコントローラは、請求項１から３のいずれかに記載のコントローラにおいて、前記両側面のうち、前記操作面の長手方向に延びる縁部から前記被覆面までの距離が長い方の側面に配設され、前記操作子の操作状況を表示する表示装置を備えている。
【００１１】
請求項５記載のコントローラは、請求項４に記載のコントローラにおいて、前記表示装置が配設される側面と、前記操作面とは鈍角に交差して形成されている。
【００１２】
前記記載のコントローラは、前記所定の信号を前記効果装置に送信するケーブルの一端が導出する導出口を備え、その導出口を鉛直方向下方に向けて前記操作面と対面した場合、前記表示装置が配設される側面は、向かって左側の側面に形成されている。
【００１３】
前記記載のコントローラは、前記筐体の長手方向における一端側は円弧状に形成されている。
【００１４】
前記記載のコントローラは、前記聖体と前記樟とを連結する連結具が挿入され、前記筐体の長手方向において前記操作子を挟む位置に穿設されている連結口を備えている。
【００１５】
前記記載のコントローラは、前記筐体に連結され前記樟を巻回した状態で前記悼を締め付ける締結バンドを備えている。
【００１６】
前記記載のコントローラにおいて、前記弦楽器は、二胡である。
【００１７】
なお、効果装置セットとして、前記効果装置と、前記記載のコントローラとを備えている構成としてもよい。
【００１８】
また電気弦楽器として、前記弦楽器と、前記効果装置と、前記コントローラとを備えている構成としてもよい。
【発明の効果】
【００１９】
請求項１記載のコントローラによれば、筐体は、操作子が配設され帯状に延びる操作面、その操作面と対向して前記棹に被覆される被覆面、および、前記操作面の長手方向両縁部から前記被覆面に向かって延びる２つの側面である両側面を有し、扁平な棒状に形成されているので、弦と対面する棹の対向面に被覆面が覆われるように筐体を取着することができる。この部分に筐体を取着することで、操作面は弦と棹との間の空間に位置することになり、演奏者は難なく操作子を操作できる上、筐体が演奏者の手に衝突することがないので、演奏に支障をきたすことなく、二胡に代表される弦楽器から発生する楽音に所定の効果を付与する効果装置に対して所定の信号を出力することができるという効果がある。
【００２０】
また、このコントローラによれば、請求項１に記載のコントローラの奏する効果に加え、筐体は、その長手方向の全長が前記共鳴胴の上面から千斤までの間隔よりも小さく、操作面と被覆面との間隔である最大高さが弦と棹との間隔よりも小さく、両側面の間隔である最大幅が棹の最大幅よりも小さく形成されているので、弦と対面する棹の対向面に筐体を取着したとしても、棹に沿って演奏者の手を移動させても、演奏者の手が筐体に衝突することがなく、筐体を取着した状態であっても、演奏に支障をきたすことがないという効果がある。
【００２１】
請求項２記載のコントローラによれば、弦と対向する棹の対向面に被覆面が被覆されるように筐体を弦楽器に取着した場合、被覆面と対向する操作面が弦と対面することになるが、操作面は被覆面の長手方向の縁部側に対して下降傾斜して形成されているので、操作面は弦を避けるように位置することになる。よって、操作子を操作する方向と弦とが干渉しないように操作面上に操作子を配設することができるという効果がある。
【００２２】
請求項３記載のコントローラによれば、請求項１から２のいずれかに記載のコントローラの奏する効果に加え、操作面は、被覆面の長手方向に延びる両縁部の一方の縁部側に偏って形成されているので、筐体を棹に取着した場合、操作面は弦を一層避けるように位置することになり、更に、操作子は操作面の長手方向に延びる中心線から一方の縁部側に偏って配設されているので、操作子を操作する方向と弦とが干渉しないように操作面上に操作子を配設することができるという効果がある。
【００２３】
請求項４記載のコントローラによれば、請求項１から３のいずれかに記載のコントローラの奏する効果に加え、操作子の操作状況を表示する表示装置は、両側面のうち、操作面の長手方向に延びる縁部から被覆面までの距離が長い方の側面に配設されているので、表示装置を配設し易い上、大きな表示装置を配設することができ、演奏者にとって見易い表示装置を配設することができるという効果がある。
【００２４】
請求項５記載のコントローラによれば、請求項４に記載のコントローラの奏する効果に加え、表示装置が配設される側面と、操作面とは鈍角に交差して形成されているので、演奏状態において演奏者にとって見易い角度に表示装置を配設することができるという効果がある。
【００２５】
また、このコントローラによれば、表示装置が配設されている側面は、所定の信号を効果装置に送信するケーブルの一端が導出する導出口を鉛直方向下方に向けて操作面と対面した場合向かって左側の側面に形成されている。よって、導出口が共鳴胴側に向くように、筐体を弦と対向する棹の対向面に取着した場合には、里弦側（演奏状態において、演奏者側）に表示装置が向くように表示装置を配設することができ、演奏者にとって表示装置の表示を見易くすることができるという効果がある。
【００２６】
また、このコントローラによれば、筐体の長手方向における一端側は円弧状に形成されているので、その一端側が千斤側に向くように筐体を棹に取着した場合、千斤付近の演奏、操作を支障なく行うことができるという効果がある。
【００２７】
また、このコントローラによれば、連結口に挿入される連結具を介して筐体を棹に取着することができ、連結具を脱着することで、簡単に筐体を棹から着脱することができるという効果がある。
【００２８】
また、このコントローラによれば、筐体に連結され棹を巻回した状態で棹を締め付ける締結バンドを備えているので、締結バンドを締め付けることで、棹に何ら加工を施すことなく、筐体を棹に取着することができるという効果がある。
【００２９】
また、このコントローラによれば、弦楽器は二胡なので、操作性に優れ、演奏に支障をきたすことなく、二胡から発生する楽音に所定の効果を付与する効果装置に対して所定の信号を出力することができるという効果がある。
【００３０】
また、効果装置セットとして、前記効果装置と、前記記載のコントローラとを備えることで、請求項１から５のいずれかに記載のコントローラと同様の効果を奏することができる上、効果装置によって二胡から発生する楽音に所定の効果を付与することができるという効果がある。
【００３１】
また、電気弦楽器として、前記弦楽器と、前記効果装置と、前記コントローラとを備えていることで、前記効果装置セットと同様の効果を奏することができる。
【発明を実施するための最良の形態】
【００３２】
以下、本発明の好ましい実施例について、添付図面を参照して説明する。図１は本発明の一つである電気二胡１の外観斜視図である。尚、本発明の一つであるコントローラは電気二胡１に含まれるコントローラ４が該当する。また、本発明の一つである効果装置セットは電気二胡１に含まれる効果装置３とコントローラ４とのセットが該当する。
【００３３】
電気二胡１（コントローラ４）は、特に、操作性に優れ、演奏に支障をきたすことなく、二胡２から発生する楽音に所定の効果を付与する効果装置３に対して所定の信号を出力することができるものであり、主に、二胡２と、二胡２に底方に着脱自在に取着される効果装置３と、二胡２の棹２３に着脱自在に取着されるコントローラ４とによって構成されている。
【００３４】
二胡２は、主に、底方から胴敷２１と、その胴敷２１上に設置される共鳴胴２２と、その共鳴胴から立設する棹２３と、その棹２３と並列に延びる弦２４とによって構成されている。尚、本実施形態の弦楽器としては二胡２について説明するが、二胡２と同一構造を有する弦楽器であれば、京胡、中胡、高胡、低胡、板胡等であっても良い。
【００３５】
胴敷２１は、本来（効果装置３が取着されていない場合）、演奏者の太股上に載せられる二胡２のベースであり、その上に共鳴胴２２が設置される。その底面には、鈎状の２本テールピース２１１（図３参照）が突設されており、この各テールピース２１１に一端がリング状に形成された２本の弦２４の各々が引っかけられる。
【００３６】
共鳴胴２２は、六角柱状であって、横倒しされた状態で胴敷２１の上に設置され、その内部は中空に形成されている。また、その琴皮２２１は、蛇の皮で形成されており、琴皮２２１の中心部に設置されている駒２２２を介して弦２４の振動が伝達されて共振する。一方、琴皮２２１の反対面は花窓２２３と称され、装飾的な彫刻が施されている。この彫刻には、共鳴胴２２から楽音がストレートに放音されるのを抑制する役割があり、楽音が花窓に当たることにより、その音量が６０％〜７０％絞られ、余韻の残る、哀愁のある、美しい音色となる。
【００３７】
棹２３は、その一端が胴敷２１に支持され、共鳴胴２２を貫通して立設されている（図３（ａ）参照）。また、棹２３の他端側には側方に突出する２本の糸巻き２３１，２３２が上下に設けられており、この２本の糸巻き２３１，２３２の各々に、２本の弦２４の各々が巻回されて固定される。
【００３８】
弦２４は、外弦２４１と、里弦２４２との２本で構成され、弦２４（共鳴胴２２の琴皮２２１）に向かって右方を外弦２４１、左方を里弦２４２とされている。尚、演奏する場合には、共鳴胴２２の花窓２２３を演奏者左後側に向け左太股上に効果装置３を設置するので、演奏者側からすると、右方に（演奏者右手に近い方に）里弦２４２、左方に（演奏者右手から遠い方に）外弦２４１が位置することになる。
【００３９】
弦２４は、いずれも金属製であり、その太さは外弦２４１の方が里弦２４２よりも細く形成されている。また２本の弦２４は、棹２３の途中で千斤２４３によって束ねられており、千斤２４３から駒２２２までの区間を発音区と称され、この発音区が音程の出る区間となる。千斤２４３は、共鳴胴２２の上に左肘を当てて腕を棹２３に沿わせた状態で、中指の付け根から小指の付け根部分に相当する位置に設置される。そして、この弦２４を図示しない弓によって擦るように弾くことで二胡２から振動が発生し、駒２２２、共鳴胴２２の琴皮２２１、内部を介して花窓２２３から二胡２の楽音が発生することになる。
【００４０】
効果装置３は、二胡２から発生する楽音を電気信号に変換することで、その楽音に音量の変化、音色（リバーブ、ディレイ、オクターブ、コーラス等）の変化の効果を付与する装置である。
【００４１】
効果装置３には、二胡２の花窓２２３と対面するようにコンデンサマイク３３９（図３（ａ）参照）が内包されており、このコンデンサマイク３３９によって、花窓２２３から放音される二胡２本来の楽音を電気信号に変換することができる。尚、効果装置３の詳細については、図２乃至４を参照しながら後述する。
【００４２】
コントローラ４は、図示しないケーブルを介して効果装置３に所定の信号を入出力する効果装置３のリモートコントローラであって、その所定の信号の入出力を指示する各種操作ボタン４１乃至４５が配設されている。
【００４３】
コントローラ４は、扁平な棒状に形成されており、弦２４と対面する棹２３の対向面であって、その各端部が千斤２４３と共鳴胴２２の上面との間に所定間隔を空けた千斤２４３と共鳴胴２２との間に取着されている。換言すれば、コントローラ４は、その長手方向の全長が千斤２４３と共鳴胴２２との間隔より小さく、更に、棹２３と弦２４との間隔よりも薄く形成されているので、かかる棹２３の部分にコントローラ４を取着することができる。棹２３は、奏法上、左手を擦る重要な箇所ではあるが、コントローラ４は、その棹２３に対して、演奏上邪魔にならず、且つ、操作ボタン４１乃至４５が操作し易いように構成されている。
【００４４】
また、コントローラ４の一端側には、効果装置３と接続される図示しないケーブルが導出する導出口５９が突設されており、コントローラ４は、その導出口５９が共鳴胴２２側に向くように棹２３に取着されるので、導出口５９と効果装置３との間隔が近くなり、ケーブルが演奏の邪魔になることも抑制されている。
【００４５】
一方、導出口５９とは反対側の千斤２４３付近に位置する一端側は、扁平な円弧状に形成されているので、千斤２４３付近を操作する場合であってもコントローラ４が邪魔になることがない。尚、コントローラ４の詳細については、図５及び図６を参照しながら後述する。
【００４６】
次に、図２乃至図３を参照して、効果装置３について詳細に説明する。図２（ａ）は効果装置３の外観斜視図であり、図２（ｂ）は効果装置３の平面図である。図３（ａ）は電気二胡１の底方部分の縦断面図であり、図３（ｂ）は電気二胡１の底面図である。
【００４７】
図２（ａ）に示すように、効果装置３は、主に、ベース筐体３１と、そのベース筐体３１の前方一端側に連設されている前方筐体３２と、その前方筐体３２との間にベース筐体３１を挟んでベース筐体３１の後方一端側に連設されている後方筐体３３とによって構成されている。
【００４８】
ベース筐体３１は、その上面が二胡２（胴敷２１）が設置される設置面３１１とされ、その設置面３１１には、底面３１２まで貫通する弦交換口３１３と、３つの連結口３１４とが開口されている。設置面３１１の長手方向の長さは約１４０ｍｍ、最大幅（前方筐体３２側の端部の幅）は約８４ｍｍの長さで構成されている。
【００４９】
弦交換口３１３は、設置面３１１の前方筐体３２側に矩形状に開口し、更に、図３（ａ）、（ｂ）に示すように、二胡２を設置面３１１に取着した場合に、胴敷２１のテールピース２１１を臨み、且つ、弦２４が通過可能な隙間が形成される位置に開口されている。よって、この弦交換口３１３を介して効果装置３を二胡２に取着している状態であっても、テールピース２１１に引っかけられている弦２４を交換することができる。尚、この弦交換口３１３の底面３１２側の周縁部は、弦２４を交換し易いよう円弧状に形成されている。
【００５０】
３つの連結口３１４は、弦交換口３１３の縁部に２つ、後方筐体３３の手前側に１つ穿設されている。各連結口３１４は、図４（ｃ）に示すように、効果装置３（ベース筐体３１）と胴敷２１と連結するボルト２１５を挿入する孔である。このボルト２１５を介して効果装置３（ベース筐体３１）を二胡２（胴敷２１）に取着することができ、このボルト２１５を着脱することで、簡単に効果装置３（ベース筐体３１）を二胡２（胴敷２１）に着脱することができる。
【００５１】
図３（ａ）に示すように、設置面３１１の反対面である底面３１２には、設置面３１１側に窪み、長手方向に延びる両縁部間に亘って延びる凹部３１５が形成されている。一方、胴敷２１にも、その底面の長手方向に延びる両縁部間に亘って延びる凹部２１２が凹設されている。即ち、効果装置３を胴敷２１に取着すると、胴敷２１の凹部２１２はベース筐体３１に覆われるので、胴敷２１の凹部２１２に相当する凹部として、この凹部３１５がベース筐体３１の底面３１２に形成されている。よって、この凹部３１５は、効果装置３を二胡２に取着した場合に、胴敷２１の凹部２１２を高さ方向に、ほぼ投影した位置に形成されている。これにより、この凹部３１５が演奏者の太股にフィットして、効果装置３を取着した状態であっても、違和感なく二胡２を演奏することができる。
【００５２】
図２（ｂ）、図３（ｂ）に示すように、ベース筐体３１の底面３１２の長手方向両縁部から立設する両側面３１６ａ，３１６ｂは、内側に向けて括れて形成されている。換言すれば、ベース筐体３１は平面視（底面視）において糸巻き状に形成されている。効果装置３を演奏者の太股上に載せて演奏する場合に、側面３１６ａは、演奏者の外側に位置することになるが、その側面３１６ａが括れていることで、弓を外側に押し出した場合に、弓が側面３１６ａに衝突するのを防止することができる。一方、側面３１６ｂは、演奏者の内側（腹部辺り）に位置することになるので、その側面３１６ｂが括れていることで、側面３１６ｂが演奏者の腹部辺りにフィットし、違和感なく演奏することができる。尚、図２（ａ）に示すように、側面３１６ａの後方筐体３３側には、後方筐体３３側から電源入力ジャック３１７と、外部機器と接続する接続端子３１８とが並列に配設されている。
【００５３】
図２（ａ）に示すように、上述したベース筐体３１の前方側に連設する前方筐体３２は、ベース筐体３１の設置面３１１よりも突出して形成されており、その上面には５つのダイヤル式の操作子３２１乃至３２５が横一列に配設されている。各操作子３２１乃至３２５は、効果装置３によって付与する効果としての、音量、音色（リバーブ、ディレイ、オクターブ、コーラス）の変化量を調節する操作子であり、操作子３２１がコーラス、操作子３２２がオクターブ、操作子３２３がディレイ、操作子３２４がリバーブ、操作子３２５が音量の変化量を、各操作子３２１乃至３２５を回転させることで調節する。尚、各操作子３２１乃至３２５は、後述する基板３４０に実装されている制御回路に電気的に接続されており、その制御回路によって各操作子３２１乃至３２５の設定状況に応じた効果が二胡２から発生する楽音に付与される。
【００５４】
この前方筐体３２との間にベース筐体３１を挟む後方筐体３３は、ベース筐体３１の設置面３１１よりも２段階に突出して形成されている。このように、ベース筐体３１の設置面３１１の長手方向は、その設置面３１１よりも突出する前方筐体３２と後方筐体３３とに挟まれているので、設置面３１１に胴敷２１を設置する場合に、その設置位置を感覚的に捉えることができる。
【００５５】
後方筐体３３の最上面よりも低い中段上面には、出力ジャック３３３と、コントローラ接続ジャック３３４とが配設されている。出力ジャック３３３は、効果装置３で効果が付与されたアナログ信号を出力するものであり、例えば、ヘッドフォンと接続されてヘッドフォンに出力される。コントローラ接続ジャック３３４は、コントローラ４から出力される所定の信号を効果装置３に入力するものであり、コントローラ４と接続されているケーブル（図示せず）と接続され、そのケーブルを介して入力された所定の信号が、後述する基板３４０に実装されている制御回路に入力され、その制御回路によって所定に信号に応じた処理が実行される。
【００５６】
図３（ｂ）に示すように、後方筐体３３の底面縁部には、効果装置３に接続されるコード、ケーブルを纏めるコードフック３３５が取着されている。コードフック３３５を取着するためのコードフック取付穴３３６は、効果装置３の底面の縁部に前方後方２つずつ合計４つ穿設されており、コードフック３３５は、このいずれにもビス３３７を介して取付けることができる。
【００５７】
また、図２（ａ）に示すように、後方筐体３３には、ベース筐体３１の設置面３１１の一端側から立設し、その設置面３１１側を向く立設面３３１が形成されており、その立設面３３１の上方（出力ジャック３３３、コントローラ接続ジャック３３４よりも上方）には、二胡２から発生する楽音を集音する集音面３３８が形成されている。そして、その集音面３３８の背後（後方筐体３３の内部）には、図３（ａ）に示すように、コンデンサマイク３３９が基板３４０に実装されて内包されている。
【００５８】
コンデンサマイク３３９は、集音面３３８を介して、二胡２から発生する楽音を拾い、その楽音を電気信号に変換するものであり、後方筐体３３の底方から立設する基板３４０に集音面３３８側を向けて実装されている。
【００５９】
具体的には、コンデンサマイク３３９は、二胡２の花窓２２３と僅かに間隔を空けて対向配置され、その高さは、効果装置３に二胡２を取着した状態で、二胡２の花窓２２３の中心Ｘから僅かに設置面３１１側の位置に配設されている。換言すれば、コンデンサマイク３３９は、設置面３１１からの高さが二胡２の花窓２２３の中心Ｘよりも低い位置（設置面３１１からコンデンサマイク３３９の中心までの高さが約４２ｍｍの位置）に配設されている。この位置にコンデンサマイク３３９を配設することで、花窓２２３から放音される二胡２の楽音の音色を損なうことなく、二胡２本来の楽音を電気信号に変換することができる。
【００６０】
また、例えば、コンデンサマイク３３９に代えて、コンタクトマイクを使用する場合には、その固定構造が複雑となり、ピエゾマイクを共鳴胴２２に設置した場合には、ハウリングの影響を受け、二胡２本来の音色を電気信号に変換することができない。一方、コンデンサマイク３３９によれば、簡単な固定構造で、且つ、二胡２本来の楽音を電気信号に変換することができる。
【００６１】
更に、コンデンサマイク３３９の周囲にはスポンジ３４１ａ、コンデンサマイク３３９が実装されている基板３４０の反対面にはスポンジ３４１ｂが配設されており、コンデンサマイク３３９が雑音を電気信号に変換するのが抑制され、より確実に二胡２本来の楽音を電気信号に変換することができる。
【００６２】
後方筐体３３の内部には、更に、基板３４０をベース筐体３１との間に挟む基板３４０の背後に電池３４２を収納する電池収容空間３４３が確保されており、その上方の後方筐体３３の一部は、電池交換キャップ３４４として、後方筐体３３から着脱自在に構成されている。この位置に電池収容空間３４３を配置することで、二胡２が設置されるベース筐体３１を扁平に形成でき、演奏する場合、演奏者に高さ方向における違和感を感じさせるのを抑制することができる。また、電池３４２は縦置きに収容されるので、長手方向において効果装置３が大型化するのも抑制することができる。
【００６３】
次に、図４を参照して、上述した効果装置３を二胡２（胴敷２１）に取着する方法について説明する。図４（ａ）は胴敷２１の外観斜視図であり、（ｂ）は胴敷２１に鬼目ナット２１３が嵌合されている部分の拡大断面図であり、（ｃ）は胴敷２１に効果装置３を取着する状態を示す図である。
【００６４】
効果装置３を二胡２（胴敷２１）に取着する場合には、図４（ａ）、（ｂ）に示すように、３つの孔２１４を穿設する。この３つの孔２１４は、効果装置３（ベース筐体３１）に穿設されている３つの連結口３１４と対応する位置に穿設する。そして、その３つの孔２１４に鬼目ナット２１３を嵌め込む。鬼目ナット２１３は外周部に複数の突起が突設され、その内部にはネジ孔が貫通形成されている。
【００６５】
こうした加工された胴敷２１を、図４（ｃ）に示すように、効果装置３に穿設されている連結口３１４と、胴敷２１に穿設されている３つの孔２１４とが合致するよう胴敷２１を効果装置３の設置面３１１上に設置し、効果装置３の底面側から連結口３１４にボルト２１５を挿入し、そのボルト２１５を鬼目ナット２１３のねじ孔に螺合させることで、効果装置３を二胡（胴敷２１）に取着することができる。
【００６６】
次に、図５を参照して、コントローラ４について詳細に説明する。図５（ａ）はコントローラ４の外観斜視図であり、（ｂ）は（ａ）とは反対側からみたコントローラ４の外観斜図であり、（ｃ）は図１に示すＶｃ−Ｖｃ断面図である。
【００６７】
コントローラ４は、５つの操作ボタン４１乃至４５が一列に配設されている帯状の操作面４６と、その操作面４６と対向し棹２３に重ねられ棹２３に被覆される被覆面４７と、操作面４６の長手方向両縁部から被覆面４７側に延びる２つの側面４８ａ，４８ｂとによって、扁平な棒状に形成されている。
【００６８】
また、操作ボタン４１乃至４５を挟む両側には、コントローラ４を棹２３に取着するための連結口５７，５８が穿設されており、更に、長手方向一端側は扁平な円弧状に形成されており、その反対の他端側からは図示しないケーブルの導出口５９が突設されている。
【００６９】
コントローラ４は、図１に示すように、扁平な円弧状に形成された一端側を上方（千斤２４３側）、導出口５９を下方（共鳴胴２２側）に向け、弦２４と対向する棹２３の対向面に取着される。そのため、図５（ａ）に示すように、その長手方向の全長Ｌは千斤２４３と共鳴胴２２の上面との間の間隔より小さく、図５（ｃ）に示すように、操作面４６と被覆面４７側との最大高さＨは、棹２３と弦２４（２４１，２４２）との間隔より小さく、２つの側面４８ａ，４８ｂの最大幅Ｗ１は、棹２３の最大幅Ｗ２よりも小さく構成されている。
【００７０】
より具体的には、コントローラ４は、導出口５９を除く長手方向の長さが約２７９．５ｍｍ、最大幅Ｗ１が１４．５ｍｍ、最大高さＨが１０．４ｍｍの大きさで構成されている。尚、このコントローラ４の大きさは、一例にすぎず、コントローラ４の大きさは、この大きさに限定されるものではない。
【００７１】
これにより、コントローラ４を、棹２３の弦２４と対向する対向面に被覆面４７が被覆されるように取着した場合、操作面４６は弦２４（２４１，２４２）と対向する位置に配置されるので、操作面４６に配設されている各操作ボタン４１乃至４５を操作し易い。また、両側面４８ａ，４８ｂが棹２３からはみ出すことがないので、コントローラ４が取着されている棹２３の反対面側から棹２３を握り、棹２３に沿って擦るように演奏者が手を移動させたとしても、演奏者の手がコントローラ４に衝突することがないので、コントローラ４を取着した状態であっても、演奏に支障をきたすことなく、二胡２を演奏することができる。
【００７２】
操作面４６に配設されている５つの操作ボタン４１乃至４５は、演奏者によって操作され、押下されたボタンに応じた所定の信号が、効果装置３に対して図示しないケーブルを介して出力される。各操作ボタン４１乃至４５のうち、操作ボタン４１はリバーブ、操作ボタン４２はディレイ、操作ボタン４３はオクターブ、操作ボタン４４はコーラスの各効果を二胡２から発生する楽音に付与することを指示し、操作ボタン４５はチューニング機能の実行を指示するボタンである。
【００７３】
また、操作面４６は、図５（ｃ）に示すように、被覆面４７に対して、被覆面４７の長手方向の縁部側（外弦２４１側）に偏り、且つ、その偏っている方向（外弦側）に向かって角度θ（例えば、約１２度）で下降傾斜して形成されている。また、その操作面４６に配設されている各操作ボタン４１乃至４５は、操作面４６の長手方向における中心線Ｃから操作面４６が偏っている方（外弦２４１側）に偏って配設されている。
【００７４】
このように操作面４６が形成されているので、コントローラ４を上述したように棹２３に取着した場合、操作面４６は、図５（ｃ）に示すように、外弦２４１側に偏った状態となり、弦２４１，２４２から外れたスペースを確保することができる。そして、そのスペースに操作ボタン４５等を配設することで、操作ボタン４５を押下する矢印Ｐ方向の操作を弦２４１，２４２と干渉することなく行うことができる。
【００７５】
２つの側面４８ａ，４８ｂのうち、側面４８ｂは、図５（ｃ）に示すように、操作面４６の長手方向縁部と鈍角に交わり、対向する側面４８ａよりも操作面４６の長手方向の縁部から被覆面４７までの距離が長く形成されている。また、この側面４８ｂには、図５（ａ）に示すように、表示装置としてのＬＥＤ５０乃至５６が長手方向に一列に並んで配設されている。
【００７６】
ＬＥＤ５０乃至５４のうち、ＬＥＤ５０は操作ボタン４１、ＬＥＤ５１は操作ボタン４２、ＬＥＤ５２は操作ボタン４３、ＬＥＤ５３は操作ボタン４４、ＬＥＤ５４は操作ボタン４５と対応付けられており、各操作ボタン４１乃至４５の操作状況を表示するものである。例えば、操作ボタン４１が押下されると、その押下された操作ボタン４１に対応するＬＥＤ５０が点灯する。これにより、そのＬＥＤ５０の表示状態によって操作ボタン４１を押下したことを一見して確認することができる。
【００７７】
ＬＥＤ５５は里弦２４２、ＬＥＤ５６は外弦２４１のチューニング状況を表示するものであり、ＬＥＤ５５と、ＬＥＤ５６とには、各々２つのＬＥＤが配設されており、入力した音高の基準音高に対する偏差に応じて２つのＬＥＤのいずれかが点滅し、入力した音高と基準音高とが一致することで２つのＬＥＤが点灯する。これにより、各弦２４１，２４２のチューニング状況を一見して確認することができる。
【００７８】
このように、表示装置としてのＬＥＤ５０乃至５６を側面４８ｂに配設することで、コントローラ４を上述したように棹２３に取着した場合、側面４８ｂは、演奏状態において、演奏者から右側の側面（弦２４１，２４２に向かって左側の側面）に位置することになるので、演奏者にＬＥＤ５０乃至５６の表示を見易くすることができる。
【００７９】
次に、図６を参照して、上述したコントローラ４を二胡２（棹２３）に取着する方法について説明する。図６（ａ）は、棹２３上部の外観斜視図であり、図６（ｂ）は図６（ａ）に示す領域Ａ内の拡大図である。
【００８０】
コントローラ４を二胡２（棹２３）に取着する場合には、図６（ｂ）に示すように、ネジ６１を介して凸状の固定部材６０を、弦２４と対向する棹２３の対向面に取り付ける。そして、固定部材６０に穿設されているネジ孔と、コントローラ４に穿設されている連結口５７とを重ねてビス６２を介してコントローラ４と固定部材６０とを連結する。尚、連結口５８についても同様に行う。これにより、固定部材６０を介してコントローラ４を棹２３に取着することができ、ビス６２を着脱することで、コントローラ４を棹２３から簡単に着脱することができる。
【００８１】
このように、上述した電気二胡１によれば、二胡２に効果装置３を取着した場合、効果装置３の後方筐体３３にはコンデンサマイク３３９が、二胡２の花窓２２３と僅かに間隔を空けて対向して、且つ、設置面３１１からの高さが二胡２の花窓２２３の中心Ｘよりも低い位置に配設されているので、花窓２２３から放音される二胡２の楽音の音色を損なうことなく、二胡２本来の楽音を電気信号に変換することができる。
【００８２】
また、コントローラ４の筐体は、操作面４６、その操作面４６と対向して棹２３に被覆される被覆面４７、および、操作面４６の長手方向両縁部から被覆面４７に向かって延びる側面４８ａ，４８ｂを有し、扁平な棒状に形成されている。よって、コントローラ４を二胡２に張設されている弦２４１，２４２と対向する棹２３の対向面に、被覆面４７が覆われるように取着することができる。この部分にコントローラ４を取着することで、操作面４６は弦２４１，２４２と棹２３との間に位置することになり、演奏者は難なく操作ボタン４１乃至４５を操作できる上、筐体に演奏者が衝突することがなく、演奏に支障をきたすこともない。
【００８３】
次に、図７乃至図９を参照して、上述した実施形態を第１実施形態として、効果装置３を二胡（胴敷２１）に取着する第２乃至第４実施形態について説明する。上述した第１実施形態では、図４で説明した通り、胴敷２１に孔２１４を穿設する場合について説明した。この第２乃至第４実施形態では、二胡２（胴敷２１）自体には、何ら加工を施すことなく、二胡２に効果装置３を取着する方法について説明する。尚、上述した第１実施形態と、同一の構成については、同一の符合を付し、その説明は省略する。
【００８４】
まず、図７を参照して、第２実施形態について説明する。図７（ａ）はアタッチメント１０１を示す外観斜視図であり、図７（ｂ）は第２実施形態の電気二胡１００の底方部分を示す外観斜視図である。第２実施形態の電気二胡１００（効果装置３）には、図７（ａ）に示すアタッチメント１０１が設けられている。
【００８５】
アタッチメント１０１は、ベース筐体３１の設置面上に固定され、二胡２（胴敷２１）自体には、何ら加工を施すことなく、二胡２に効果装置３を取着させるためのものであり、主に、板状のベースプレート１０２と、前方介入爪１０６と、後方固定部材１１０とによって構成されている。
【００８６】
ベースプレート１０２は、ベース筐体３１の設置面３１１上に設置されるものであり、その長手方向の前方一端側に切欠き１０３と、その反対である後方一端側から立設する立壁１０８と、底面から延びるボルト１１５とが設けられている。切欠き１０３は、ベースプレート１０２をベース筐体３１の設置面３１１上に設置した状態で弦交換口３１３と重なる位置に切欠かれており、この切欠き１０３によってベースプレート１０２をベース筐体３１の設置面３１１上に設置することで弦交換口３１３がベースプレート１０２によって塞がれるのが防止されている。立壁１０８は、後方固定部材１１０を支持する壁であり、その上端の両端には、ベースプレート１０２側とは反対に突出する突出片１０９が突設されている。ボルト１１５は、ベース筐体３１の設置面３１１に穿設されている連結口３１４に挿入され、アタッチメント１０１とベース筐体３１とを連結するものである。
【００８７】
前方介入爪１０６は、その先端が共鳴胴２２の前方と胴敷２１との間に形成される隙間に介入するものである。前方介入爪１０６は、ベースプレート１０２の長手方向の両縁部から外方に突出するブラケット１０４上において、長手方向に互いに所定間隔を空けて連結されている２つの筒状の挿通部材１０５に、その一端側が回転自在に挿入されている。また、その２つの挿通部材１０５の間から露出する部分にはストッパ１０６ａが固定されており、前方介入爪１０６は、このストッパ１０６ａが前後の挿通部材１０５の端面に衝突する範囲で長手方向にスライド可能に構成されている。また、一対の前方介入爪１０６のうちの一方には、先端がフック状に形成されている固定フック１０７の他端側が連結されている。この固定フック１０７の先端をベースプレート１０２を跨いで他方の前方介入爪１０６に引っかけることで、一対の前方介入爪１０６が回転するのが防止されている。
【００８８】
後方固定部材１１０は、その一部が共鳴胴２２の後方と胴敷２１との間に形成される隙間に介入するものである。後方固定部材１１０は、立壁１０８のベースプレート１０２側の内面に沿った本体１１２と、その本体１１２の端部からベースプレート１０２側に突出する介入片１１１と、その反対側の両縁部から、立壁１０８を跨いで立壁１０８に連設されている突出片１０９と対向するように突出する突出片１１３とによって構成されている。互いに対向する突出片１０９と、突出片１１３とには、ボルト１１４が貫通されており、このボルト１１４によって、後方固定部材１１０は、上下方向にスライド可能に構成されている。
【００８９】
上述したアタッチメント１０１に、二胡２を取着する方法について説明する。まず、前方介入爪１０６を立壁１０８とは反対側にスライドさせ、後方固定部材１１０を上方にスライドさせておく。そして、二胡２の後方に形成されている共鳴胴２２と胴敷２１との間の隙間に、後方固定部材１１０の介入片１１１が介入するように二胡２をベースプレート１０２上に設置する。
【００９０】
そして、二胡２の前方に形成されている共鳴胴２２と胴敷２１との間の隙間に、両方の前方介入爪１０６の先端が介入するように、各前方介入爪１０６を回転させつつ、立壁１０８側にスライドさせ、両方の前方介入爪１０６が介入すると、固定フック１０７によって両方の前方介入爪１０６を固定する。そして、後方固定部材１１０の介入片１１１が胴敷２１の上面に到達するまでボルト１１４を締め付け、後方固定部材１１０をベースプレート１０２側にスライドさせる。
【００９１】
こうして、アタッチメント１０１に、二胡２を取着すると、ベースプレート１０２の底面から突出するボルト１１５が、効果装置３の連結口３１４に挿入するように、二胡２が取着されたアタッチメント１０１をベース筐体３１上に設置し、効果装置３の底面側から連結口３１４を通過しているボルト１１５にナットを螺合させることで、図７（ｂ）に示すように、二胡２（胴敷２１）自体には、何ら加工を施すことなく、二胡２に効果装置３を取着させることができる。
【００９２】
次に、図８を参照して、第３実施形態について説明する。図８（ａ）はアタッチメント２０１を示す外観斜視図であり、図８（ｂ）は第３実施形態の電気二胡２００の底方部分を示す外観斜視図である。第３実施形態の電気二胡３００（効果装置３）には、図８（ａ）に示すアタッチメント２０１が設けられている。尚、図８（ａ）に示すアタッチメント２０１については、図７（ａ）に示すアタッチメント１０１と共通する構成については、同一符合を付し、その説明は省略する。
【００９３】
図８（ａ）に示すアタッチメント２０１は、図７（ａ）に示すアタッチメント１０１の前方介入爪１０６に代えて、前方固定部材２０２の介入爪２０２ｂを共鳴胴２２と胴敷２１との間に介入させるものである。
【００９４】
アタッチメント２０１には、切欠き１０３の両サイドのベースプレート１０２に長手方向に延びる長孔２０４が穿設されおり、その各長孔２０４には２本のボルト２０３が貫通しており、その２本のボルト２０３に前方固定部材２０２が固着されている。
【００９５】
前方固定部材２０２は、２本のボルト２０３に固定されている本体２０２ａと、その本体２０２ａの上端両縁からベースプレート１０２側に延びる介入爪２０２ｂとによって構成されている。尚、各ボルト２０３には、ベースプレート１０２を挟んで図示しないナットが螺着されており、この螺着を緩めることで、長孔２０４に沿って前方固定部材２０２を長手方向にスライドさせることができる。
【００９６】
このように構成されているアタッチメント２０１を備えた電気二胡２００によれば、前方固定部材２０２の介入爪２０２ｂを二胡２の前方における胴敷２１と共鳴胴２２との間の隙間に介入させることで、図８（ｂ）に示すように、二胡２（胴敷２１）自体には、何ら加工を施すことなく、二胡２に効果装置３を取着させることができる。
【００９７】
次に、図９を参照して、第４実施形態について説明する。図９（ａ）はアタッチメント３０１を示す外観斜視図であり、図９（ｂ）は第４実施形態の電気二胡３００の底方部分を示す外観斜視図である。第４実施形態の電気二胡３００（効果装置３）には、図９（ａ）に示すアタッチメント３０１が設けられている。
【００９８】
尚、この第４実施形態において効果装置３を取着する二胡２０は、その胴敷２１０の形状が、上述した二胡２の胴敷２１の形状と異なるものである。具体的には、上述した二胡２の胴敷２１は、共鳴胴２２を設置するベースと、そのベースの長手方向縁部から湾曲して立設する側壁とによって凹状に形成されているものである。一方、二胡２０の胴敷２１０は、図９（ｂ）に示すように、かまぼこ状に形成され、その上面に共鳴胴２２が設置されている。
【００９９】
アタッチメント３０１は、ベース筐体３１の設置面上に設置され、二胡２０（胴敷２１０）自体には、何ら加工を施すことなく、二胡２０に効果装置３を取着させるためのものであり、主に、板状のベースプレート３０２と、板状のベースプレート３０２の前方縁部から立設する前方固定壁３０３と、板状のベースプレート３０２の長手方向の両縁部から立設する一対の側方挟持壁３０４とによって構成されている。
【０１００】
ベースプレート３０２は、図７（ａ）、図８（ａ）で説明したアタッチメント１０１，２０１と同様に、ベース筐体３１の設置面３１１上に設置されるものであり、その長手方向の前方一端側に切欠き（図示せず）、底面から延びるボルト１１５とが設けられている。前方固定壁３０３は、胴敷２１０の前面を固定するものである。
【０１０１】
側方挟持壁３０４は、胴敷２１０を長手方向に固定するものであり、その上方の途中からは、胴敷２１０の長手方向の側面に沿うようにベースプレート３０２側に傾斜して形成されている。これにより、胴敷２１０を長手方向に確実に挟むことができる。また、その上端縁部には、凹状に形成されている固定部材３０５が挟まれている。この固定部材３０５は、ボルト３０６によりベースプレート３０２側にスライドし、直接、胴敷２１０を押圧、固定するものである。
【０１０２】
上述したアタッチメント３０１に、二胡２を取着する方法について説明する。まず、ボルト３０６を緩めた状態にしておき、次に、二胡２を前方固定壁３０３とは反対側の縁部から一対の側方挟持壁３０４の間に、二胡２０の琴皮２２１側を先頭に挿入し、胴敷２１０の前面が前方固定壁３０３の内面に当接するまで、二胡２０をベースプレート３０２上でスライドさせる。そして、固定部材３０５のボルト３０６を締め、固定部材３０５の一端面を胴敷２１０の傾斜面に当接させ、固定する。
【０１０３】
こうして、アタッチメント３０１に、二胡２０を取着すると、後は、上述したのと同様に、二胡２０が取着されたアタッチメント３０１を、ベース筐体３１の設置面上に取着することで、図９（ｂ）に示すように、かまぼこ状の胴敷２１０を有する二胡２０であっても、二胡２０（胴敷２１０）自体には、何ら加工を施すことなく、二胡２０に効果装置３を取着することができる。
【０１０４】
次に、図１０を参照して、上述した実施形態のコントローラ４を第１実施形態として、第２乃至第４実施形態のコントローラ４００，５００，６００について説明する。上述した第１実施形態のコントローラ４は、図６で説明した通り、棹２３に固定部材６０を取付けた上で、その固定部材６０を介してコントローラ４を棹２３に取着する方法について説明した。
【０１０５】
この第２乃至第４実施形態では、二胡２（棹２３）自体には、何ら加工を施すことなく、棹２３にコントローラ４００，５００，６００を取着できる方法について説明する。尚、上述した第１実施形態のコントローラ４と、同一の構成については、同一の符合を付し、その説明は省略する。
【０１０６】
まず、図１０（ａ１）、図１０（ａ２）を参照して、第２実施形態のコントローラ４００について説明する。図１０（ａ１）は第２実施形態のコントローラ４００の上方部分を示す外観斜視図であり、図１０（ａ２）は図１０（ａ１）に示す矢印Ｘａ２方向視における平面図である。
【０１０７】
図１０（ａ１）、図１０（ａ２）に示すように、第２実施形態のコントローラ４００には、長手方向の一端側に、板状のプレート４０１が延設されており、そのプレート４０１の一端側には、帯状のバンド４０２の一端だけが連結されており、その他端側はボルト４０３を介してプレート４０１と連結可能に構成されている。
【０１０８】
第２実施形態のコントローラ４００を棹２３に取着する場合には、ボルト４０３を矢印Ｋ方向に引き抜いた状態で、一端だけがプレート４０１に取着されている状態のバンド４０１を棹２３に巻回させる。そして、ボルト４０３を介してバンド４０１の他端側とプレート４０１とを連結し、ボルト４０３を締め付ける。
【０１０９】
これにより、棹２３は巻回されているバンド４０２によって締め付けられるので、コントローラ４００の上方部分がバンド４０２を介して棹２３に取着される。そして、同様に、コントローラ４００の下方部分を棹２３に取着することで（図示せず）、二胡２（棹２３）自体には、何ら加工を施すことなく、コントローラ４００を棹２３に取着することができる。
【０１１０】
次に、図１０（ｂ１）、図１０（ｂ２）を参照して、第３実施形態のコントローラ５００について説明する。図１０（ｂ１）は第３実施形態のコントローラ５００の上方部分を示す外観斜視図であり、図１０（ｂ２）は図１０（ｂ１）に示す矢印Ｘｂ２方向視における平面図である。
【０１１１】
図１０（ｂ１）、図１０（ｂ２）に示すように、第３実施形態のコントローラ５００には、長手方向の一端側に、プレート５０１が延設されており、そのプレート５０１の一端側に対してボルト５０５を介して着脱可能な取付部材Ｔが取着されている。
【０１１２】
取付部材Ｔは、帯状のバンド５０２と、そのバンド５０２の一端側に連結され屈曲して形成されている第１固定プレート５０３と、バンド５０２の他端側に連結され屈曲して形成されている第２固定プレート５０４とによって構成されている。また、第２固定プレート５０４には、第１固定プレート５０３の一端側が挿通可能な筒部材５０４ａと、ナット５０４ｂとが連結されている。
【０１１３】
第３実施形態のコントローラ５００を棹２３に取着する場合には、ボルト５０５を矢印Ｋ方向に引き抜き、第１固定プレート５０３の一端を筒部材５０４ａから引き抜いた状態とした上で、バンド５０２を棹２３に巻回させる。そして、第１固定プレート５０３の一端を筒部材５０４ａ内に挿入させ、第１固定プレート５０３と、第２固定プレート５０４とに穿設されているネジ孔を合わせる。そして、その合わせたネジ孔に、ボルト５０５を差し込み、締め付ける。
【０１１４】
これにより、棹２３は巻回されているバンド５０２によって締め付けられるので、コントローラ５００の上方部分がバンド５０２を介して棹２３に取着される。そして、同様に、コントローラ５００の下方部分を棹２３に取着することで（図示せず）、二胡２（棹２３）自体には、何ら加工を施すことなく、コントローラ５００を棹２３に取着することができる。
【０１１５】
次に、図１０（ｃ１）、図１０（ｃ２）を参照して、第４実施形態のコントローラ６００について説明する。図１０（ｃ１）は第４実施形態のコントローラ６００の上方部分を示す外観斜視図であり、図１０（ｃ２）は図１０（ｃ１）に示す矢印Ｘｃ２方向視における平面図である。
【０１１６】
図１０（ｃ１）、図１０（ｃ２）に示すように、第４実施形態のコントローラ６００には、長手方向の一端側に、プレート６０１が延設されており、そのプレート６０１の一端側には、ボルト６０１ａと、そのボルト６０１ａに螺着するナット６０１ｂとが連結されている。また、ボルト６０１ａを介してプレート６０１の一端側に対して着脱可能な取付部材Ｔが取着されている。
【０１１７】
この取付部材Ｔは、凹状に形成されている固定プレート６０３と、帯状のバンド６０２とによって構成されている。固定プレート６０３には、ボルト６０１ａが挿入されるネジ孔と、そのネジ孔が形成されている面から屈曲した両面にキノコ型の連結部材６０３ａとが設けられている。バンド６０２には、その両端にキノコ型の連結部材６０３ａの頭部が通過可能な大きさの孔と、通過不可能な大きさの孔とが並列に連続する孔６０２ａが穿設されている。
【０１１８】
第４実施形態のコントローラ６００を棹２３に取着する場合には、バンド６０２の少なくとも一方の端部をキノコ型の連結部材６０３ａから引き抜いた状態とした上で、固定プレート６０３のネジ孔をボルト６０１ａに差し込みつつ、バンド６０２を棹２３に巻回させる。そして自由端となっているバンドの一端側に穿設されている孔６０２ａに、キノコ型の連結部材６０３ａを嵌め込み、ナット６０１ｂをボルト６０１ａの先端側に向けて回転させる。
【０１１９】
これにより、棹２３は巻回されているバンド６０２によって締め付けられるので、コントローラ６００の上方部分がバンド６０２を介して棹２３に取着される。そして、同様に、コントローラ６００の下方部分を棹２３に取着することで（図示せず）、二胡２（棹２３）自体には、何ら加工を施すことなく、コントローラ６００を棹２３に取着することができる。
【０１２０】
以上、上述した実施形態に基づき本発明を説明したが、本発明は上述した実施形態に何ら限定されるものではなく、本発明の趣旨を逸脱しない範囲内で種々の改良変形が可能であることは容易に推察できるものである。
【０１２１】
本実施形態では、コンデンサマイク３３９を、花窓２２３と対向するように花窓２２３の中心Ｘよりも若干設置面３１１側に配設する場合について説明したが、コンデンサマイク３３９を配置する位置としては、かかる位置に限定されるものではない。例えば、コンデンサマイク３３９を花窓２２３の近傍（花窓２２３の中心Ｘの周辺、または、後方筐体３３を設置面３１１側に突出させずに、ベース筐体をそのまま後方に延設させた筐体内）に配置しても良い。かかる位置に配置したとしても、コンデンサマイク３３９によって二胡２本来の楽音を電気信号に変換することができる。但し、上述した実施形態の位置に配設するのが最も好ましい。
【０１２２】
また、本実施形態では、コントローラ４を図５（ｃ）に示す断面形状に形成する場合について説明したが、コントローラ４の断面形状としては、かかる断面形状に限定されるものではない。例えば、コントローラ４を上述した実施形態と棹２３の位置に取着することができる形状であれば、かかる断面形状が、かまぼこ型、矩形状、台形状、平行四辺形状になるようにコントローラ４を形成しても良い。また、本実施形態では、効果装置３とコントローラ４とをケーブル（有線）で接続する場合について説明したが、効果装置３とコントローラ４との間で信号を伝達する手段としては、無線通信であっても良い。
【図面の簡単な説明】
【０１２３】
【図１】電気二胡の外観斜視図である。
【図２】（ａ）は効果装置の外観斜視図であり、（ｂ）は効果装置の平面図である。
【図３】（ａ）は電気二胡の底方部分の縦断面図であり、（ｂ）は電気二胡の底面図である。
【図４】（ａ）は胴敷の外観斜視図であり、（ｂ）は胴敷に鬼目ナットが嵌合されている部分の拡大断面図であり、（ｃ）は胴敷に効果装置を取着する状態を示す図である。
【図５】（ａ）はコントローラの外観斜視図であり、（ｂ）は図５（ａ）とは反対側からみたコントローラの外観斜図であり、（ｃ）は図１に示すＶｃ−Ｖｃ断面図である。
【図６】（ａ）は棹上部の外観斜視図であり、（ｂ）は図６（ａ）に示す領域Ａ内の拡大図である。
【図７】（ａ）はアタッチメントを示す外観斜視図であり、（ｂ）は第２実施形態の電気二胡の底方部分を示す外観斜視図である。
【図８】（ａ）はアタッチメントを示す外観斜視図であり、（ｂ）は第３実施形態の電気二胡の底方部分を示す外観斜視図である。
【図９】（ａ）はアタッチメントを示す外観斜視図であり、（ｂ）は第４実施形態の電気二胡の底方部分を示す外観斜視図である。
【図１０】（ａ１）は第２実施形態のコントローラの上方部分を示す外観斜視図であり、（ａ２）は図１０（ａ１）に示す矢印Ｘａ２方向視における平面図である。（ｂ１）は第３実施形態のコントローラの上方部分を示す外観斜視図であり、（ｂ２）は図１０（ｂ１）に示す矢印Ｘｂ２方向視における平面図である。（ｃ１）は第３実施形態のコントローラの上方部分を示す外観斜視図であり、（ｃ２）は図１０（ｃ１）に示す矢印Ｘｃ２方向視における平面図である。
【符号の説明】
【０１２４】
１ 電気二胡（電気楽器）
２ 二胡（弦楽器）
３ 効果装置
４ コントローラ
２１，２１０ 胴敷
２２ 共鳴胴
２３ 棹
２４ 弦
４１乃至４５ 操作ボタン（操作子）
４６ 操作面
４７ 被覆面
４８ａ，４８ｂ 側面
５０乃至５６ ＬＥＤ（表示装置）
５７，５８ 連結口
２２１ 琴皮（共鳴胴の前面）
２２２ 駒
２４１ 外弦（弦の一部）
２４２ 里弦（弦の一部）
４０２，５０２，６０２ 締結バンド
【図１】
0005232532.tif 000002
【図２】
0005232532.tif 000003
【図３】
0005232532.tif 000004
【図４】
0005232532.tif 000005
【図５】
0005232532.tif 000006
【図６】
0005232532.tif 000007
【図７】
0005232532.tif 000008
【図８】
0005232532.tif 000009
【図９】
0005232532.tif 000010
【図１０】
0005232532.tif 000011